(57)【要約】【課題】  計測すべき流量メータの位置や計測状態などを地図上に表示することによって、計測者の作業性を向上させることができるようにした計測システムを提供すること。【解決手段】  水道メータなどの流量メータはその近傍にそれぞれ取付けられ、計測情報を記憶可能なＩＣタグと通信する通信部によりデータの送受信が可能な携帯端末装置を有し、この携帯端末装置に、情報を表示する表示部と、流量メータの位置情報等を記憶する計測情報記憶部と、表示部に地図を表示するための地図情報を記憶する地図情報記憶部とを設け、流量メータの位置情報等に基づいて、表示部に表示する地図上に流量メータの位置や計測状態などを識別可能に表示する。【選択図】  図１
2007071739.tif 000002
【特許請求の範囲】
【請求項１】
複数の被計測対象又はその近傍にそれぞれ取付けられ、計測情報を記憶可能なＩＣタグと、
前記ＩＣタグと通信する通信部によりデータの送受信が可能な携帯端末装置と、を備えた計測システムにおいて、
前記携帯端末装置は、
情報を表示する表示部と、
前記被計測対象の位置情報を含む被計測対象情報を記憶する計測情報記憶部と、
前記表示部に地図を表示するための地図情報を記憶する地図情報記憶部と、
前記被計測対象情報に基づいて、前記表示部に表示する地図上に前記被計測対象を識別可能に表示する表示制御手段と、
を備えたことを特徴とする計測システム。
【請求項２】
前記計測情報記憶部にはさらに計測情報を記憶し、
前記表示制御手段は、
前記計測情報に基づいて、前記表示部に表示する地図上に前記被計測対象の計測状態を識別可能に表示することを特徴とする請求項１に記載の計測システム。
【請求項３】
前記携帯端末装置は、
前記計測情報及び前記被計測対象情報に基づいて、計測すべき前記被計測対象を判定する未計測対象判定手段と、
前記計測すべき被計測対象が複数あるとき、計測すべき順番を判定するルート判定手段と、を有し、
前記表示制御手段は、
前記表示部に表示する地図上に前記計測すべき順番を識別可能に表示することを特徴とする請求項２に記載の計測システム。
【請求項４】
前記携帯端末装置は、
前記通信部を介して前記ＩＣタグに記憶された識別ＩＤ及び計測情報を読み取るＩＣタグ情報読取手段と、
前記被計測対象を計測した値を計測情報として入力するための入力手段と、
前記ＩＣタグ情報読取手段により読み取られた計測情報と前記入力手段により入力された計測情報との差分を演算することにより使用量を算出する演算手段と、
前記入力手段により入力された計測情報を、前記通信部を介して前記ＩＣタグに書き込むＩＣタグ情報書込手段と、を有することを特徴とする請求項１〜３のいずれか１項に記載の計測システム。
【請求項５】
前記携帯端末装置は、前記ＩＣタグ情報読取手段によって読み取られた計測情報が所定期間内に計測された情報であるか否かを判定する重複計測判定手段を有し、
前記表示制御手段は、前記重複計測判定手段による判定結果を前記表示部へ表示することを特徴とする請求項４に記載の計測システム。
【請求項６】
前記携帯端末装置は、前記被計測対象の過去の計測情報に基づいて算出した前記被計測対象の計測予測範囲に、前記演算手段で演算した差分が含まれるか否かを判定する入力ミス判定手段を有し、
前記表示制御手段は、前記入力ミス判定手段による判定結果を前記表示部へ表示することを特徴とする請求項４又は請求項５に記載の計測システム。
【請求項７】
請求項１〜６のいずれか１項に記載の計測システムであって、
前記被計測対象情報を管理すると共に、前記携帯端末装置との間で前記被計測対象情報を送受信するコンピュータ装置を備えた計測システム。
【発明の詳細な説明】
【技術分野】
【０００１】
本発明は、ＩＣタグを用いた計測システムに関し、特に、流量メータなどの被計測対象の計測情報を携帯端末装置によってＩＣタグへ書き込み又は読み込みを行う計測システムに関する。
【背景技術】
【０００２】
従来から、各家屋や土地に供給される水道、電気、ガスなどは、その使用量に基づいた料金の請求が行われている。
【０００３】
そして、水道、電気、ガスなどの使用量は、各家屋や土地に備え付けられた水道メータ、電気メータあるいはガスメータなどの流量メータをその計測者である検針員が計測することによって行われている。
【０００４】
すなわち、検針員が流量メータのメータ値を目視により読み取って計測し、このように計測したメータ値をその流量メータのシリアル番号と対応させて携帯端末装置に入力することによって、使用量の計測が行われている。
【０００５】
ところが、このような計測方法では、各流量メータのシリアル番号を目視によって確認してから使用量を計測しなければならず検針員の作業が煩雑となる。
【０００６】
そこで、特許文献１に記載の計測システムにおいては、いわゆる各種データを記憶できるＲＦＩＤなどのＩＣタグを各流量メータに設け、ＩＣタグリーダを用いたハンディーターミナルによってＩＣタグに記録されたシリアル番号等を読み取ることによって検針員の作業を軽減や入力ミスを防止するものが開示されている。
【特許文献１】特開２００１−１４７１４４号公報
【発明の開示】
【発明が解決しようとする課題】
【０００７】
しかし、上記特許文献１の計測システムにおいても、計測すべき流量メータがどこにあるのかを把握しておく必要があることには変わりなく、誤って流量メータの計測漏れが発生することもある。
【０００８】
特に、新規に被計測対象として追加され、或いは被計測対象から削除される流量メータが多いような場合には、計測すべき流量メータを把握することは容易ではない。
【０００９】
本発明は、かかる状況に鑑みてなされたものであり、流量メータなどの被計測対象に対応して取付けられたＩＣタグに対して計測情報を書き込み又は計測情報の読み込みを行うことができる携帯端末装置に、被計測対象の位置を地図上に対応させて表示することにより、被計測対象の位置を視覚的に容易に把握させ、計測者の作業性を向上させることができるようにした計測システムを提供することを目的とする。
【課題を解決するための手段】
【００１０】
そこで、請求項１に記載の発明は、複数の被計測対象又はその近傍にそれぞれ取付けられ、計測情報を記憶可能なＩＣタグと、ＩＣタグと通信する通信部によりデータの送受信が可能な携帯端末装置とを備えた計測システムにおいて、携帯端末装置は、情報を表示する表示部と、前記被計測対象の位置情報を含む被計測対象情報を記憶する計測情報記憶部と、前記表示部に地図を表示するための地図情報を記憶する地図情報記憶部と、前記被計測対象情報に基づいて、前記表示部に表示する地図上に前記被計測対象を識別可能に表示する表示制御手段とを備えたことを特徴とする。
【００１１】
また、請求項２に記載の発明は、請求項１に記載の発明であって、前記計測情報記憶部にはさらに計測情報を記憶し、前記表示制御手段は、前記計測情報に基づいて、前記表示部に表示する地図上に前記被計測対象の計測状態を識別可能に表示することを特徴とする。
【００１２】
また、請求項３に記載の発明は、請求項２に記載の発明であって、前記携帯端末装置は、前記計測情報及び前記被計測対象情報に基づいて、計測すべき前記被計測対象を判定する未計測対象判定手段と、前記計測すべき被計測対象が複数あるとき、計測すべき順番を判定するルート判定手段と、を有し、前記表示制御手段は、前記表示部に表示する地図上に前記計測すべき順番を識別可能に表示することを特徴とする。
【００１３】
また、請求項４に記載の発明は、請求項１〜３のいずれか一項に記載の発明であって、前記携帯端末装置は、前記被計測対象を計測した値を計測情報として入力するための入力手段と、前記通信部を介して前記ＩＣタグに記憶された識別ＩＤ及び計測情報を読み取るＩＣタグ情報読取手段と、前記ＩＣタグ情報読取手段により読み取られた計測情報と前記入力手段により入力された計測情報との差分を演算することにより使用量を算出する演算手段と、前記入力手段により入力された計測情報を、前記通信部を介して前記ＩＣタグに書き込むＩＣタグ情報書込手段とを有することを特徴とする。
【００１４】
また、請求項５に記載の発明は、請求項４に記載の発明であって、前記携帯端末装置は、前記ＩＣタグ情報読取手段によって読み取られた計測情報が所定期間内に計測された情報であるか否かを判定する重複計測判定手段を有し、前記表示制御手段は、前記重複計測判定手段による判定結果を前記表示部へ表示することを特徴とする
【００１５】
また、請求項６に記載の発明は、請求項４又は請求項５に記載の発明であって、前記携帯端末装置は、前記被計測対象の過去の計測情報に基づいて算出した前記被計測対象の計測予測範囲に、前記演算手段で演算した差分が含まれるか否かを判定する入力ミス判定手段を有し、前記表示制御手段は、前記入力ミス判定手段による判定結果を前記表示部へ表示することを特徴とする。
【００１６】
また、請求項７に記載の発明は、請求項１〜６のいずれか一項に記載の発明であって、前記被計測対象情報を管理すると共に、前記携帯端末装置との間で前記被計測対象情報を送受信するコンピュータ装置を備えたことを特徴とする。
【発明の効果】
【００１７】
本発明の計測システムによれば、携帯端末装置において、情報を表示する表示部と、被計測対象の位置情報を含む被計測対象情報を記憶する計測情報記憶部と、表示部に地図を表示するための地図情報を記憶する地図情報記憶部と、被計測対象情報に基づいて、表示部に表示する地図上に被計測対象を識別可能に表示する表示制御手段と有しているので、計測者は携帯端末装置を用いて被計測対象の位置を容易に把握することができる。
【００１８】
しかも、この携帯端末装置は、計測情報を記憶可能なＩＣタグと通信する通信部を有しており、したがって、被計測対象を測定した値である測定情報を携帯端末装置から容易にＩＣタグへ記憶させることが可能となる。
【００１９】
このように流量メータなどの被計測対象に対応して取付けられたＩＣタグに対して計測情報を書き込み又は計測情報の読み込みを行うことができる携帯端末装置に、被計測対象の位置を地図上に対応させて表示することにより、被計測対象の位置を視覚的に容易に把握させることができるため、計測者の作業性を大幅に向上させることができる。
【００２０】
また、計測情報記憶部にはさらに計測情報を記憶し、計測情報に基づいて、表示部に表示する地図上に前記被計測対象の計測状態を識別可能に表示するので、従来困難であった被計測対象の計測状態、すなわち計測済みや未計測の把握が容易となり、また、未計測の被計測対象を計測する経路を判定することが容易となる。
【００２１】
また、携帯端末装置は、計測情報及び被計測対象情報に基づいて、計測すべき被計測対象を判定すると共に、計測すべき被計測対象が複数あるとき、計測すべき順番を判定し、表示部に表示する地図上に計測すべき順番を識別可能に表示するので、計測者は表示部に表示された指示に従うことにより容易に計測することが可能となる。
【００２２】
また、ＩＣタグ情報読取手段により読み取られた計測情報と入力手段により入力された計測情報との差分を演算することにより使用量を算出するので、使用量の算出が容易となる。
【００２３】
さらに、ＩＣタグ情報読取手段によって読み取られた計測情報が所定期間内に計測された情報であるか否かを判定するようにしたので、すでにある被計測対象が計測されているにもかかわらず、さらに計測される可能性を計測者に報知することができる。
【００２４】
また、被計測対象の過去の計測情報に基づいて算出した被計測対象の計測予測範囲に、算出した使用量が含まれるか否かを判定するようにしたので、これにより入力ミスを回避することが可能となる。
【００２５】
また、ＩＣタグ情報書込手段は、被計測対象の計測情報をＩＣタグへ書き込む際に、ＩＣタグの識別ＩＤを読み取り、その識別ＩＤのＩＣタグが被計測対象に取付けられたＩＣタグか否かを判定するようにしたので、異なる被計測対象に取付けられたＩＣタグに対して誤って計測情報を書き込んでしまうことを回避することができる。
【発明を実施するための最良の形態】
【００２６】
本発明の実施形態における計測システムは、複数の被計測対象又はその近傍にそれぞれ取付けられ、計測情報を記憶可能なＩＣタグと、このＩＣタグと通信する通信部によりデータの送受信が可能な携帯端末装置とを備えている。
【００２７】
その結果、計測者は、この携帯端末装置を用いて、流量メータなどの被計測対象に対応して取付けられたＩＣタグに対して計測情報を書き込み又は計測情報の読み込みを行うことができ、その結果、計測のたびに計測情報をＩＣタグに書き込むことができるので、前回の計測値を携帯端末装置に予め記憶しておく必要がなくなる。したがって、ＩＣタグに対して計測情報を書き込み又は計測情報の読み込みを行うことができる携帯端末装置であれば、ＩＣタグに記憶された過去の計測情報と今回計測した計測値とから被計測対象の使用量を計測することができる。
【００２８】
しかも、携帯端末装置は、情報を表示する表示部と、被計測対象の位置情報を含む被計測対象情報を記憶する計測情報記憶部と、表示部に地図を表示するための地図情報を記憶する地図情報記憶部と、被計測対象情報に基づいて、表示部に表示する地図上に被計測対象を識別可能に表示する表示制御手段と有している。
【００２９】
その結果、計測者は、この携帯端末装置の表示部において地図上に対応させて表示させた被計測対象の位置により、被計測対象の位置を視覚的に容易に把握させることができるため、計測者の作業性を大幅に向上させることができる。
【００３０】
したがって、計測すべき被計測対象がどこにあるのかを把握しておく必要がなく、計測者の計測の作業性を向上させることができる。
【００３１】
ここで、被計測対象として、水道メータ、電気メータ、或いはガスメータなどの流量メータなどがある。また、ＩＣタグとは、無線タグ、ＲＦタグ、ＲＦＩＤなどとも呼ばれるチップ型の装置であり、アンテナで受信する無線電波から電力を生成して動作すると共にアンテナを介して受信するデータを記憶したり、記憶したデータをアンテナを介して送信したりする。
【００３２】
また、ＩＣタグには、被計測対象情報として識別ＩＤや位置情報を記憶しており、この識別ＩＤ或いは位置情報を読み取ることにより、表示部に表示する地図上にＩＣタグの位置を表示させるようにすることもできる。
【００３３】
すなわち、携帯端末装置の制御部をＩＣタグ位置検出手段として機能させ、このＩＣタグ位置検出手段によってＩＣタグに記憶された識別ＩＤや位置情報を受信するともに、受信した情報から地図上の位置を検出して、表示部に表示する地図上に現在通信しているＩＣタグの位置或いは現在位置の情報を表示することができる。
【００３４】
したがって、現在計測しているＩＣタグを地図上で表示することができ、その結果、現在位置を把握することが容易となる。なお、現在計測しているＩＣタグを地図上で表示するのではなく、現在位置として表示するようにしてもよい。
【００３５】
ここで、識別ＩＤとは、ＩＣタグそれぞれに固有のシリアル番号などをいい、個々のＩＣタグを識別可能でありかつＩＣタグに記憶できる情報であればどのような形式であってもかまわない。
【００３６】
また、ＩＣタグには、被計測対象情報として、所有者或いは契約者に関する情報を記憶しており、携帯端末装置によってこの所有者情報或いは契約者情報を読み取って表示することにより、従来把握することが困難であった被計測対象の所有者或いは契約者を容易に把握することが可能となる。しかも、被計測対象の所有者等と計測情報は関連付けられてＩＣタグや携帯端末装置に記憶されることになるため、計測者は被計測対象の所有者等を特に意識することなく計測を行うことが可能となる。
【００３７】
また、計測情報記憶部にはさらに計測情報を記憶することによって、従来困難であった被計測対象の計測状態、すなわち計測済や未計測の把握が容易となり、また、未計測の被計測対象を計測する経路を判定することが容易となる。
【００３８】
すなわち、携帯端末装置の制御部は、被計測対象ごとに計測済や未計測の情報を含む計測情報に基づいて、表示部に表示する地図上に被計測対象が計測済か未計測かの計測状態を識別可能に表示する表示制御手段として機能する。
【００３９】
また、携帯端末装置の制御部は、計測済や未計測の情報を含む計測情報や被計測対象情報に基づいて、計測すべき被計測対象を判定する未計測対象判定手段と、計測すべき被計測対象が複数あるとき、計測すべき順番を判定するルート判定手段と有しており、表示部に表示する地図上に計測すべき順番を識別可能に表示する表示制御手段として機能する。
【００４０】
ここで、計測すべき順番の表示は、次に計測すべき被計測対象の位置を順次地図上で識別可能に表示したり、計測すべき順番の番号を地図上に表示することによって行うことが可能となる。
【００４１】
そして、地図上に被計測対象、その計測状態或いは計測すべき順番などを識別可能とするために、被計測対象の色を他と異ならせたり、点滅させたりすることができる。また、地図上に所定の図形を配置することにより被計測対象を地図上に表示するようにしてもよい。
【００４２】
また、被計測対象の位置が農地にあるような場合には、被計測対象情報として、その被計測対象が位置する農地の作付け情報を加え、地図上にその作付け情報を表示することによって、計測者は計測領域の作付け状態を識別することができ、計測作業が容易となる。
【００４３】
ここで、作付け情報としては、タバコ、サトウキビ、たまねぎ、ピーマン、パイナップルなどがあり、広大な農地に多数の被計測対象があるために、現在位置や被計測対象の発見が困難であるような場合であっても、被計測対象と共に地図上で被計測対象が位置する農地の作付け情報を表示することにより、そのような困難性を大幅に低減できる。
【００４４】
また、携帯端末装置は、通信部を介してＩＣタグに記憶された識別ＩＤ及び計測情報を読み取るＩＣタグ情報読取手段と、被計測対象を計測した値を計測情報として入力する入力手段と、入力手段により入力された計測情報を、通信部を介してＩＣタグに書き込むＩＣタグ情報書込手段とを有している。
【００４５】
そのため、計測した情報をＩＣタグに記憶させることができようになり、また、このＩＣタグに記憶した計測情報を読み出すことによって前回計測した計測値であるメータ値などを得ることができる。したがって、被計測対象の計測値を計測することにより容易に使用量（前回計測した値と今回計測した値との差分）を算出することができる。
【００４６】
特に、ＩＣタグ情報読取手段により読み取られた計測情報と入力手段により入力された計測情報との差分を演算することにより使用量を算出する演算手段を有しているので、その算出が容易となる。
【００４７】
さらに、ＩＣタグに、計測値に加え、使用量、計測日時、計測者等の情報を記憶させることにより、より利便性を有する計測システムの提供が可能となる。
【００４８】
たとえば、計測日時の情報をＩＣタグ４に記憶することにより、たとえば、以下のような制御が可能となる。
【００４９】
すなわち、携帯端末装置は、ＩＣタグ情報読取手段によって読み取られた計測情報が所定期間内（たとえば、１週間以内）に計測された情報であるか否かを判定する重複計測判定手段を有しており、重複計測判定手段による判定結果を表示部へ表示する。
【００５０】
このように構成することにより、すでにある被計測対象が計測されているにもかかわらず、さらに計測される可能性を計測者に報知することができる。特に、携帯端末装置を紛失してしまった場合において、その後別の携帯端末装置で測定するような場合に有効である。
【００５１】
そして、計測者の判断に応じて計測値などのＩＣタグへの記憶操作を中止することにより、計測者による誤入力を回避することができる。
【００５２】
また、携帯端末装置は、ＩＣタグに記憶された計測者情報を取得し、このように取得した計測者情報と計測者が異なるか否かを判定する計測者判定手段を有しており、計測者判定手段による判定結果を表示部へ表示する。
【００５３】
このように構成することにより、計測すべきでない計測者によって計測されることを回避することが可能となる。さらに、計測すべきでない計測者ではＩＣタグへの計測値の記憶を行わないようにすれば、より確実となる。
【００５４】
また、携帯端末装置は、被計測対象の過去の計測情報に基づいて算出した前記被計測対象の計測予測範囲に、演算手段で演算した差分が含まれるか否かを判定する入力ミス判定手段を有している。
【００５５】
そして、制御部は、入力ミス判定手段による判定結果を表示部へ表示する表示制御手段として機能するようにしており、これにより入力ミスを回避することが可能となる。
【００５６】
また、本実施形態における計測システムには、被計測対象情報や計測情報を管理すると共に、前記携帯端末装置との間で被計測対象情報や計測情報を送受信するコンピュータ装置を備えており、このコンピュータ装置により計測システム全体の管理が可能となる。
【００５７】
そして、携帯端末装置は、このコンピュータ装置から被計測対象情報を受信し、その被計測対象情報に基づいて計測した結果である計測情報をコンピュータ装置へ送信することができる。
【００５８】
以下、本実施形態における計測システムについて、図面を参照してさらに具体的に説明する。図１は本実施形態における計測システムの全体説明図である。
【００５９】
図１に示すように、本実施形態における計測システムＳは、メインシステムとしてのコンピュータ装置１と、被計測対象である流量メータ３ａ〜３ｅを計測するための携帯端末装置２と、流量メータ３ａ〜３ｅにそれぞれ取り付けられたＩＣタグ４ａ〜４ｅとを有している。
【００６０】
ここで、ＩＣタグ４ａ〜４ｅのうちいずれか一つ以上を示すときにＩＣタグ４ということがあるものとし、流量メータ３ａ〜３ｅのうちいずれか一つ以上を示すときに流量メータ３ということがあるものとする。
【００６１】
また、ＩＣタグ４は、流量メータ３に直接取り付けられることが望ましいが、流量メータ３の近傍に取り付けられるものであってもよい。ＩＣタグ４は最初の計測時に取り付けられるものであり、その取り付けは接着剤等によって行うことができる。したがって、その取り付け作業も容易である。
【００６２】
携帯端末装置２は、計測センターＡにおいてコンピュータ装置１から被計測対象情報を受信した後、被計測対象領域Ｂへ移動し、各被計測対象である流量メータ３の計測をＩＣタグ４を用いて行うことができるように構成されている。
【００６３】
まず、携帯端末装置２の機能構成について図２を参照しながら具体的に説明する。図２は本実施形態における携帯端末装置２の機能構成図である。
【００６４】
図２に示すように、携帯端末装置２は、ＩＣタグ４と無線通信するための通信部としての第１通信部２１と、コンピュータ装置１と通信するための第２通信部２２と、計測値などを入力や機能などの選択に用いられる入力手段としての入力部２３と、各種情報を表示するための表示部２４と、警告音などを出力するためのスピーカ２５と、被計測対象情報、計測情報或いは地図情報を記憶するための記憶部２６と、携帯端末装置２全体を制御する制御部２７とを有している。
【００６５】
ここで、入力部２３としては、タッチパネル形式のものやキーボード形式のものなどがあり、音声入力によるものであってもよい。また、表示部２４としては、ＬＣＤなどの薄型ディスプレイが用いられる。
【００６６】
また、記憶部２６は、識別ＩＤや流量メータ３の位置情報を含む被計測対象情報を記憶する計測情報記憶部としての記憶領域と、表示部２４に地図を表示するための地図情報を記憶する地図情報記憶部としての記憶領域と、各流量メータ３に関する計測情報を記憶する計測情報記憶部としての記憶領域とを有しており、不揮発性の書き換え可能なハードディスクなどにより構成される。
【００６７】
被計測対象情報としては、識別ＩＤや流量メータ３の位置情報に加え、その流量メータ３が備えられた家屋や土地などの利用者、所有者などがある。また、流量メータ３が備え付けられた土地が農地である場合には、その農地にどのような作付けがされているかを示す作付け情報（タバコ、トウモロコシなど）がある。
【００６８】
また、計測情報としては、計測日時、計測値、使用量、計測者の情報があり、計測前にコンピュータ装置１から過去の計測情報を受信したり、また携帯端末装置２の入力部２３からの入力により記憶部２６に記憶される。
【００６９】
制御部２７は、ＣＰＵ、ＲＡＭ、ＲＯＭなどにより構成されており、ＲＯＭに記憶されたプログラムをＣＰＵが読み出して実行することにより、上述した表示制御手段、未計測対象判定手段、ルート判定手段、ＩＣタグ情報読取手段、演算手段、ＩＣタグ情報書込手段、重複計測判定手段、入力ミス判定手段等の各種手段として機能する。
【００７０】
なお、携帯端末装置２として、専用プログラムをインストールすると共にＩＣタグ４との通信用の無線カードを取り付けることにより汎用のＰＤＡ（Personal Digital Assistant）やモバイル型のパーソナルコンピュータを用いることができるが、専用のＩＣタグリードライターを用いるようにしてもよい。
【００７１】
次に、コンピュータ装置１の機能構成について図３を参照しながら具体的に説明する。図３は本実施形態におけるコンピュータ装置１の機能構成図である。
【００７２】
図３に示すように、コンピュータ装置１は、ＩＣタグ４と無線通信するための通信部としての第１通信部１１と、携帯端末装置２と通信するための第２通信部１２と、携帯端末装置２やＩＣタグ４とのデータ送受信のために、情報の入力や選択を行うための入力手段としての入力部１３と、各種情報を表示するための表示部１４と、警告音などを出力するためのスピーカ１５と、被計測対象情報、計測情報及び地図情報を記憶するためのデータベース１６と、コンピュータ装置１全体を制御する制御部１７とを有している。
【００７３】
このコンピュータ装置１は、上述のように被計測対象情報、すなわち流量メータ３の識別ＩＤやその位置或いは契約者（流量メータの使用者や土地や家屋の所有者など）の情報をデータベース１６に記憶すると共に、各流量メータ３の計測値、使用量、計測日時、計測者などの計測情報をもデータベース１６に記憶して管理している。さらに、計測すべき流量メータ３が存在する領域の地図情報をもデータベース１６に記憶している。
【００７４】
また、このデータベース１６には、計測者ごとに計測すべき流量メータ３を関連付けた計測者計測情報も記憶されている。したがって、計測者は、それぞれの第２通信部１２，２２を介して、コンピュータ装置１と携帯端末装置２とを接続し、携帯端末装置２から計測者のＩＤ及びパスワードを入力することにより、コンピュータ装置１から計測作業を行うための被計測対象情報、計測情報及び計測する領域の地図などをダウンロードすることができる。
【００７５】
また、計測者は、携帯端末装置２に記憶させた計測情報を、それぞれの第２通信部１２，２２を介して、コンピュータ装置１のデータベース１６へアップロードすることができる。
【００７６】
さらに、コンピュータ装置１は、入力部１３を操作し、第１通信部１１を介して、新規の流量メータ３へ取り付けるためにＩＣタグ４に識別ＩＤなどの被計測対象情報を記憶することができる。
【００７７】
このようにコンピュータ装置１は、計測システムＳにおけるメインシステムとして機能するものであり、計測者は、携帯端末装置２とコンピュータ装置１との間で計測のための種々のデータのやり取りを行うことにより、計測の作業性を向上させることができる。
【００７８】
次に、ＩＣタグ４の機能構成について図４を参照しながら具体的に説明する。図４は本実施形態におけるＩＣタグ４の機能構成図である。
【００７９】
図４に示すように、アンテナ４０と、アンテナ４０を介してコンピュータ装置１や携帯端末装置２と通信するための通信部４１と、アンテナ４０で受信した電波を電気変換してＩＣタグ４の動作電力を生成する電源部４２と、被計測対象情報や計測情報などを記憶可能な記憶部４３と、ＩＣタグ４全体を制御する制御部４４とを有している。
【００８０】
通信部４１による通信範囲は、複数の流量メータ３が近接している場合に他のＩＣタグ４の通信範囲と可及的に重複しないように最小限に設定される。本実施形態においては、その通信範囲（最大通信範囲）をアンテナ４０の周囲５０ｃｍとしている。
【００８１】
なお、通信部４１は、制御部４４による制御により、その通信範囲を可変に制御可能に構成することもできる。
【００８２】
すなわち、記憶部４３に記憶された被計測対象情報などを送信する際には通信範囲を大きくし、記憶部４３の計測情報の送受信を行う際には所定期間通信範囲を小さくするのである。
【００８３】
このように通信範囲を制御することにより、携帯端末装置２に対してＩＣタグ４は広範囲にその存在を知らしめることができると共に、一旦携帯端末装置２からＩＣタグ４へのデータの書き込みあるいはＩＣタグ４からデータの読み込みの要求があるとその通信範囲を所定期間小さくするため、流量メータ３が近接している場合であっても誤った計測を回避することができる。
【００８４】
記憶部４３には、被計測対象情報として識別ＩＤ、位置情報、所有者、使用者等の情報が所定領域に暗号化されて記憶されているため、これらの情報が読み出されても情報漏洩の危険性を大幅に低減することが可能となる。なお、被計測対象情報を書き換えできないように記憶領域を構成することもでき、これにより悪意の第三者に被計測情報が書き換えられることを回避することができる。
【００８５】
また、記憶部４３には、計測情報として、計測値、使用量、計測者とが計測日時に関連付けられた情報が、携帯端末装置２からの書き込み要求により記憶される。
【００８６】
このようにＩＣタグ４は識別ＩＤなどの被計測対象情報を記憶すると共に計測値などの計測情報を記憶可能に構成されているため、計測対象である流量メータ３を識別することが容易となり、計測者の作業負担を軽減することができる。
【００８７】
なお、ＩＣタグ４にＬＥＤなどの表示手段や圧音体などの音波出力手段を設け、携帯端末装置２からの電波を受信したときに、このような報知手段から光や音を出力するようにしてもよい。このようにすれば、計測者が流量メータ３を発見することが容易になる。しかも、携帯端末装置２からの電波が受信できないときには電源部４２での電力生成ができず、報知手段からの出力はないためＩＣタグ４が第三者から発見されて悪戯されることも少ない。特に、携帯端末装置２から所定のコードが送信されたときのみ報知手段から出力させることができるようにすれば、このような悪戯の可能性を可及的に低減させることができる。
【００８８】
以上のように構成される計測システムＳについて、本実施形態における特徴部分である携帯端末装置２の具体的動作について図面を参照して説明する。図５〜図２２は本実施形態における携帯端末装置２の表示部への表示例を示す図であり、図２３〜図３０は本実施形態における携帯端末装置２の動作フローチャートである。
【００８９】
図２３に示すように、まず携帯端末装置２の電源がＯＮされると、制御部２７は、図５に示すように、表示部２４にＩＤ・パスワード入力画面を表示する（ステップＳ１）。
【００９０】
その後、制御部２７は、計測者が入力部２３を操作してＩＤ及びパスワードを入力したか否かを判定する（ステップＳ２）。
【００９１】
ＩＤ及びパスワードの入力があったと判定する（ステップＳ２：Ｙｅｓ）と、制御部２７は、入力されたＩＤ及びパスワードの照合を行なう（ステップＳ３）。そして、正しいＩＤ及びパスワードが入力されていないと判定すると（ステップＳ３：Ｎｏ）、照合ＮＧの画面を表示する（ステップＳ４）。
【００９２】
一方、計測者が正しいＩＤ及びパスワードを入力したと判定する（ステップＳ３：Ｙｅｓ）と、制御部２７は、図６に示すように、メニュー選択画面を表示部２４に表示する（ステップＳ５）。
【００９３】
このメニュー選択画面は、入力部２３の操作により、計測動作、計測位置検索動作、新規登録動作、データ送受信動作のいずれかを選択可能になっており、制御部２７は、入力部２３の操作による選択が行われたか否かを判定する（ステップＳ６，Ｓ８，Ｓ１０，Ｓ１２）。
【００９４】
そして、計測動作が選択されたと判定すると（ステップＳ６：Ｙｅｓ）、制御部２７によって計測処理が実行され（ステップＳ７）、計測位置検索動作が選択されたと判定すると（ステップＳ８：Ｙｅｓ）、計測位置検索処理が実行され（ステップＳ９）、新規登録動作が選択されたと判定すると（ステップＳ１０：Ｙｅｓ）、新規登録処理が実行され（ステップＳ１１）、データ送受信動作が選択されたと判定すると（ステップＳ１２：Ｙｅｓ）、データ送受信処理が実行される（ステップＳ１３）。
【００９５】
ステップＳ７の計測動作は、図２４に示すように、まず制御部２７が記憶部２６に記憶した被計測対象情報及び計測情報に基づいて、表示部２４に表示する地図上に流量メータ３の位置や計測状態などを識別可能に表示する（ステップＳ２０）。
【００９６】
このように制御部２７によって表示部２４へ表示される画面の表示例を図７に示す。この表示例では、Ａ〜Ｃ，Ｆ，Ｇの５つのブロックの地図が表示されており、各ブロックの計測状態に応じて各ブロックが色分けされる。
【００９７】
本実施形態においては、計測状態として、計測済、計測中、次の計測、再計測、未計測、対象外の６つの状態を例に挙げて説明するがこれに限られるものではない。なお、この計測状態は、記憶部２６に記憶した被計測対象情報及び計測情報に基づいて制御部２７によって判定される。この計測領域表示処理の詳細動作について図２５を用いて後述する。
【００９８】
このように、地図上に流量メータ３の位置や計測状態などを識別可能しているため、計測者は携帯端末装置２を用いて被計測対象である流量メータ３の位置や計測状態を容易に把握することができる。
【００９９】
なお、計測処理が開始したときには、制御部２７は、図７に示すように、広範囲の地図上に流量メータ３の位置や状態などの表示をブロック単位（たとえば、区画単位）で行い、このようなブロックを複数含む領域を表示部に表示する。図７においては、Ａブロックの領域のみ計測対象であり、かつ計測中であることを示しており、その他Ｂブロック、Ｃブロック、Ｆブロック、Ｇブロックは計測対象外であることを示している。
【０１００】
次に、制御部２７は、計測者による入力部２３への操作によって、表示領域変更要求が行われたか否かを判定する（ステップＳ２１）。
【０１０１】
この表示領域変更要求は、地図拡大表示要求と地図縮小表示要求があり、地図拡大表示要求の場合には、表示部２４に表示された地図における詳細表示必要な領域を入力部の操作により指定することにより行うことができる（ステップＳ２１：Ｙｅｓ）。たとえば、図７に示すように表示されている場合、Ａブロックを選択することにより、図８に示すように図７に示すＡブロックを拡大表示した図が表示される。さらにこのような表示状態において、物件Ｅを選択することにより、図９に示すように図８に示す物件Ｅを拡大表示した図が表示される。
【０１０２】
なお、図７〜図９は、家屋に取り付けられた流量メータ３を計測するときの表示例を示したものであるが、土地の場合には、図１０、図１１のように表示し、農地の場合には、図１２、図１３のように表示する。
【０１０３】
すなわち、土地に流量メータ３が取り付けられているような場合には、広範囲な表示として図１０に示すように表示し、狭い範囲の表示として図１１に示すように表示する。この狭い範囲の表示では、表示制御手段によって、それぞれの地番の土地のどこに流量メータ３が配置されているかを所定図形（ここでは、円形状）表示するようにしており、これにより計測者が流量メータ３を探す時間を大幅に短縮することができる。さらに、制御部２７は、流量メータ３が計測済の場合と未計測の場合で、上記所定図形の色などを変更するようにしている。したがって、同一地番に複数ある場合であっても計測者は容易に計測状態を把握することができるので、その計測漏れを防止することが可能となる。
【０１０４】
また、農地に流量メータ３が取り付けられているような場合には、広範囲な表示として図１２に示すように表示し、狭い範囲の表示として図１３に示すように表示する。この狭い範囲の表示では、表示制御手段によって、それぞれの地番の土地のどこに流量メータ３が配置されているかを上記土地の場合と同様に表示するようにしており、さらに図示しないが作付け種別も文字表示或いは色表示することができるようにしている。これらにより計測者が流量メータ３を探す時間を大幅に短縮することができる。
【０１０５】
続いて、制御部２７は計測要求があるか否かを判定する（ステップＳ２２）。そして、図９、図１１、図１３などのように狭い範囲の表示状態のときに、計測者が入力手段の操作によって個別の流量メータ３の領域（たとえば、図９においては各家屋領域、図１１や図１３においては各地番）が指定されると、図１４に示すようにＩＣタグ４の読取を開始するか否かを選択するための画面を表示部２４に表示する。そして、ＩＣタグ４の読取開始が入力部２３によって選択されると、制御部２７は計測要求があったものと判定（ステップＳ２２：Ｙｅｓ）し、ＩＣタグ読取処理を開始する（ステップＳ２３）。なお、ＩＣタグ読取処理の具体的動作については、図２６を用いて後述する。
【０１０６】
ＩＣタグ読取処理では、制御部２７は第１通信部２１を介して、ＩＣタグ４に記憶された情報を読み出し、図１５に示すように、読み出した情報等を表示部２４に表示する。
【０１０７】
そして、計測者による入力部２３の操作により、計測入力要求が行われると、制御部２７により計測結果登録処理が実行される（ステップＳ２４）。この計測入力要求は、たとえば、表示部２４が図１５に示すような表示になっていた場合、図１５中の［今回計測入力］ボタンをクリックする等によって選択することによって行われる。なお、計測結果登録処理の具体的動作については、図２７を用いて後述する。
【０１０８】
ここで、ステップＳ２０における計測領域表示処理の具体的動作について、図２５を参照しながら説明する。
【０１０９】
計測領域表示処理では、まず制御部２７は、記憶部２６から読み出した計測情報に基づいて、各流量メータ３の計測状態を判定し、未計測の流量メータ３を検出する（ステップＳ３０）。なお、制御部２７は、記憶部２６に記憶された各流量メータ３の計測日時に基づいて未計測対象を検出することもでき、また記憶部２６に各流量メータ３が計測済か否かの情報を記憶しておき、これを検出することによって未計測対象を検出するようにしてもよい。流量メータ３の計測日時に基づいて、未測定対象を検出する場合、所定期間前（たとえば、１週間前）までの計測情報が記憶部２６に記憶されていない流量メータ３を未測定対象として検出することが望ましい。
【０１１０】
次に、制御部２７は、表示領域を判定する（ステップＳ３１）。この判定は、次に表示すべきものが広範囲の表示であるのか、狭い範囲の表示であるのか等でその表示領域を判定するものであり、たとえば、図８の表示状態において物件Ｅが選択された場合、図９に示すような狭い範囲の表示を表示領域として判定する。
【０１１１】
そして、制御部２７は、ステップＳ３１で判定した表示領域の地図情報を記憶部２６から読み出す（ステップＳ３２）。
【０１１２】
また、制御部２７は、ステップＳ３１で判定した表示領域に含まれる流量メータ３の位置や計測状況を記憶部２６から読み出す（ステップＳ３３）。
【０１１３】
さらに、制御部２７は、ステップＳ３１で判定した表示領域に位置する流量メータ３が複数あるときには、計測すべき順番を判定する（ステップＳ３４）。制御部２７は、原則として未計測の流量メータ３を計測するために計測者が一番短い距離で移動することができるルートを演算し、ビルなどの物件の場合にはそれぞれの階ごとに移動できるようなルートを演算して計測すべき順番を判定する。なお、ビルなどの家屋に配置されている流量メータ３に関しては日が暮れても計測可能であるが、農地のような場所に設置されている流量メータ３は日が暮れると計測が困難となるために、制御部２７は、昼間を優先した計測ルートの演算を行うようにしてもよい。
【０１１４】
そして、制御部２７は、記憶部２６から表示すべき地図情報を読み出して地図レイヤを生成すると共に、この地図レイヤ上に情報を表示するために流量メータ３の位置や使用状況を示す被計測対象レイヤを生成し（ステップＳ３５）、それぞれの表示レイヤを表示部２４に表示する（ステップＳ３６）。
【０１１５】
なお、計測状態として、計測済、計測中、次の計測、再計測、未計測、対象外の６つの状態を色表示するものとし、「計測済」は被計測対象情報としては存在するが、所定期間前までの計測日時の計測情報が記憶部２６に記憶されていることを示し、「計測中」は被計測対象情報としては存在し、現在計測中か或いはルート判定手段により現状において第１番目に計測すべきものを示し、「次の計測」はルート判定手段により次に計測すべきものを示している。また、「未計測」はルート判定手段により次の測定以降に測定すべきものを示しており、「再計測」は、計測途中で計測動作が終了したために再計測が必要なものを示す。また、「対象外」は被計測対象情報としては存在しないことを示すものである。
【０１１６】
次に、ステップＳ２３におけるＩＣタグ読取処理の具体的動作について、図２６を参照しながら説明する。
【０１１７】
図２６に示すように、ＩＣタグ読取処理が開始されると、制御部２７は、第１通信部２１を介してＩＣタグ４に記憶された識別ＩＤ及び計測情報を読み取るための要求をＩＣタグ４へ送信する（ステップＳ４０）。
【０１１８】
そして、制御部２７は、識別ＩＤが読み取りできるか否かを判定する（ステップＳ４１）。すなわち、ＩＣタグ４と通信できないか否か、或いは通信はできるが識別ＩＤを受信できないか否かを判定し、ＩＣタグ４と通信できない或いは識別ＩＤを受信できないと判定する（ステップＳ４１：Ｎｏ）と、ＩＣタグ４との通信不可表示或いはＩＣタグ認識不可表示を行う（ステップＳ４２）。
【０１１９】
一方、ステップＳ４１において、ＩＣタグ４と通信でき、かつその識別ＩＤを受信できると判定する（ステップＳ４１：Ｙｅｓ）と、制御部２７は、ＩＣタグ４から計測情報を読み取ることができるか否かを判定する（ステップＳ４３）。
【０１２０】
そして、ＩＣタグ４から計測情報を読み取ることができないと判定（ステップＳ４３：Ｎｏ）すると、制御部２７は、ＩＣタグ４の計測情報読取が不可である旨の表示を行う（ステップＳ４４）。
【０１２１】
一方、ステップＳ４３において、ＩＣタグ４から計測情報を読み取ることができると判定（ステップＳ４３：Ｙｅｓ）すると、制御部２７は、さらにＩＣタグ４から取得する計測情報のうち、所定期間（たとえば３日）前までの計測情報があるか否かを判定する（ステップＳ４５）。
【０１２２】
そして、制御部２７は、ＩＣタグ４から読み出した計測情報に所定期間内の計測情報が含まれていると判定する（ステップＳ４５：Ｙｅｓ）と、制御部２７は、重複登録の可能性がある旨の注意喚起画面を表示部２４に表示（ステップＳ４６）し、さらに、計測を継続するか否かを表示して、計測者に計測の継続を行うか否かを判断させる（ステップＳ４７）。
【０１２３】
ステップＳ４７で計測を継続する選択、すなわち新規計測情報登録を入力部２３によって行った場合（ステップＳ４７：Ｙｅｓ）や、ステップＳ４５においてＩＣタグ４から読み出した計測情報に所定期間内の計測情報が含まれていないと判定する（ステップＳ４５：Ｎｏ）と、制御部２７は、記憶部２６に記憶されている情報とステップＳ４０においてＩＣタグ４から受信した情報とを比較し、これらの情報が不一致か否かを判定する（ステップＳ４８）。なお、この比較は、記憶部２６に記憶されたＩＣタグ４に関する最新の計測日時の計測情報とそのＩＣタグ４から読み出したもの最新の計測日時の計測情報とを比較することによって行われるようにしてもよく、このようにすることによって比較演算処理スピードが向上する。
【０１２４】
そして、ステップＳ４８において、制御部２７は、記憶部２６に記憶した計測情報とＩＣタグ４から読み出した計測情報とが一致しないと判定すると（ステップＳ４８：Ｎｏ）、その旨、すなわち記憶部２６に記憶した計測情報とＩＣタグ４から読み出した計測情報とが一致しない旨の表示（計測情報不一致表示）を行う（ステップＳ４９）。さらに、制御部２７は、このような不一致の状態を解消するか否かの選択画面を表示部２４に表示しすることにより、このような不一致を解消するか否かを計測者に判断させる（ステップＳ５０）。
【０１２５】
そして、計測者が入力手段を操作することにより、このような不一致を解消する要求を行った場合（ステップＳ５０：Ｙｅｓ）、制御部２７は、ＩＣタグ４に新しい計測情報がある場合にはその計測情報を記憶部２６に追加記憶し、逆に記憶部２６に記憶した計測情報が新しい場合にはＩＣタグ４へその情報を書き込む（ステップＳ５１）。
【０１２６】
このようにＩＣタグ４に新しい計測情報がある場合には、ＩＣタグ４の計測情報を携帯端末装置２の記憶部２６へ記憶することができるため、たとえば、ＩＣタグ４に計測情報を書き込んだ後コンピュータ装置１へその計測情報をアップロードする前に携帯端末装置２を紛失したような場合であっても、携帯端末装置２がＩＣタグ４の計測情報を読み込むことによりデータの復旧が可能となる。たとえば、ＩＣタグ４に「計測日：××年５月２０日  計測値：１００」の計測情報が記憶されているとき、携帯端末装置２はこの計測情報を読み込むことにより、記憶部２６の計測情報として「計測日：××年５月２０日  計測値：１００」を記憶することができる。すなわち、ＩＣタグ４との通信日が××年６月２０日であっても、××年５月２０日に計測した計測情報を携帯端末装置２の記憶部２６に格納することができる。
【０１２７】
ステップＳ４８において、記憶部２６に記憶した計測情報とＩＣタグ４から読み出した計測情報とが一致すると判定したとき（ステップＳ４８）、計測者がこのような不一致を解消する要求を行わない場合（ステップＳ５０：Ｎｏ）或いはステップＳ５１においてデータの不一致を解消したとき、制御部２７は、図１５に示すようにステップＳ４０にて通信したＩＣタグ４の識別ＩＤに基づいて、このＩＣタグ４に関連する地図及び被計測対象情報を表示する（ステップＳ５２）。なお、図１５の示すような画面に移行する前に、図２１に示すような画面を表示するようにしてもよい。また、流量メータ３の配置が土地の場合は、図２２に示すような表示にすることができる。
【０１２８】
さらに、図１５のように表示部２４に表示されている状態において、図１５中の［今回計測入力］ボタンを計測者が入力手段で選択することにより、図１６に示すように制御部２７は表示部２４に計測値入力画面の表示を行う。なお、前回計測値及び前回計測日の表示は、ステップＳ４０においてＩＣタグ４から取得した計測情報にも基づいて行なわれるが、記憶部２６に記憶している計測情報に基づいてこのような表示を行なうようにしてもよい。
【０１２９】
次に、ステップＳ２４における計測結果登録処理の具体的動作について、図２７を参照しながら説明する。
【０１３０】
図２７に示すように、計測結果登録処理が開始されると、制御部２７は図１６に示すような計測入力表示画面に、計測者が入力部２３から計測結果の入力を行ったか否かを判定する（ステップＳ５３）。
【０１３１】
そして、計測結果、すなわち流量メータ３の計測値の入力が行われたと判定する（ステップＳ５３：Ｙｅｓ）と、制御部２７は、ＩＣタグ４から読み込んだ（或いは記憶部２６から取り出した）前回の計測値と入力された計測値との差分を演算することにより使用量を算出する（ステップＳ５４）。
【０１３２】
次に、制御部２７は、計測中のＩＣタグ４に対する過去の計測情報を記憶部２６の計測情報記憶部としての記憶領域から取出して、計測予測範囲、すなわち使用量の予測範囲を演算する。さらに、制御部２７は、ステップＳ５４で算出した使用量がこの予測範囲内に含まれるか否かを判定する（ステップＳ５５）。なお、この予測範囲は、携帯端末装置２で演算するのではなく、コンピュータ装置１において演算して携帯端末装置２の記憶部２６に記憶するようにしておき、ステップＳ５５においてこのように記憶した予測範囲を利用するようにしてもよい。
【０１３３】
使用量が予測範囲内にないと判定すると（ステップＳ５５：Ｎｏ）、制御部２７は、表示部２４にステップＳ５３で入力した計測値が入力ミスである可能性を示す旨の表示を行い（ステップＳ５６）、使用量が予測範囲内であると判定すると（ステップＳ５５：Ｙｅｓ）、表示部２４にステップＳ５３で入力された計測値を含む計測情報を記憶部２６に記憶するか否かを選択する登録の可否表示画面を表示する（ステップＳ５７）。なお、ステップＳ５６の処理終了後、計測者による入力部への所定操作によりステップＳ５７の処理が実行される。
【０１３４】
次に、制御部２７は、計測者が入力部２３を操作してステップＳ５３で入力された計測値を含む計測情報を記憶部２６に記憶することを選択したか否かを判定する（ステップＳ５８）。
【０１３５】
ステップＳ５８において、計測情報を記憶部２６及びＩＣタグ４に記憶することを選択しなかったとき（ステップＳ５８：Ｎｏ）、ステップＳ５３の処理へ戻り、一方、このような選択を行ったとき（ステップＳ５８：Ｙｅｓ）、制御部２７はＩＣタグ４と通信を行い、ＩＣタグ４から送信される識別ＩＤが計測中の被計測対象に取付けられたＩＣタグ４の識別ＩＤと一致するか否かを判定する（ステップＳ５９）。
【０１３６】
ステップＳ５９において、ＩＣタグ４の識別ＩＤが計測中の被計測対象に取付けられたＩＣタグ４の識別ＩＤと一致しないと判定すると（ステップＳ５９：Ｎｏ）、制御部２７は、登録対象（書込み対象）の誤り表示やスピーカ２５からアラート音を出力する。なお、登録対象の誤り表示は、表示部２４に表示した地図上における計測中の被計測対象の位置やこの被計測対象が設けられた土地などを点滅表示させ、さらにステップＳ５９においてＩＣタグ４から送信される識別ＩＤに対応する被計測対象の位置やこの被計測対象が設けられた土地などを点滅表示させることによって行うことができる。なお、図示しないが、ステップＳ５９において、制御部２７はＩＣタグ４との通信ができないと判定すると、通信不可表示を表示部２４に行う。
【０１３７】
このように、携帯端末装置２は、ＩＣタグ４の識別ＩＤが計測中の被計測対象に取付けられたＩＣタグ４の識別ＩＤと一致しないと判定するとＩＣタグへの計測情報の書込みを行わないようにしており、したがって、計測情報をその計測情報とは関係ないＩＣタグ４へ書き込むことを防止することができる。しかも、ＩＣタグ４の識別ＩＤと一致しないときには、その旨の表示をして計測者に注意を促すようにしているため、計測者がその旨を容易に把握することが可能となる。さらに、このような場合にＩＣタグ４から送信される識別ＩＤに対応する被計測対象の位置を表示することにしているため、計測者はどの被計測対象に取付けられたＩＣタグ４と通信しているのかを容易に把握することができる。
【０１３８】
一方、ステップＳ５９において、ＩＣタグ４の識別ＩＤが計測中の被計測対象に取付けられたＩＣタグ４の識別ＩＤと一致すると判定すると（ステップＳ５９：Ｙｅｓ）、さらに制御部２７はＩＣタグ４に計測情報を書き込む余裕があるかを判定し（ステップＳ６１）、余裕がないと判定すると（ステップＳ６１：Ｎｏ）、ＩＣタグ４に対して第１通信部２１から制御信号を送信して一番古い計測データを記憶部４３から削除する（ステップＳ６２）。
【０１３９】
その後、ＩＣタグ４に計測情報を書き込む余裕があるとき（ステップＳ６１：Ｙｅｓ）やステップＳ６２の処理が終了したとき、制御部２７はステップＳ５３において入力された計測値をＩＣタグ４へ書き込んで登録し（ステップＳ６３）、さらに使用量、計測日時、計測者を記憶部２６へ書き込んで登録する（ステップＳ６４）。
【０１４０】
次に、ステップＳ９における計測位置検索処理の具体的動作について、図２８を参照しながら説明する。
【０１４１】
図２８に示すように、計測位置検索処理が開始されると、制御部２７は、図１７に示すような検索用画面を表示する（ステップＳ７０）。
【０１４２】
そして、制御部２７は、入力部２３から検索のための住所等が入力された後、図１７に示すような［検索］ボタンが操作されるのを待つ（ステップＳ７１）。
【０１４３】
ステップＳ７１において［検索］ボタンが操作されると、制御部２７は、入力された住所等と一致する住所が記憶部２６に記憶された被計測対象情報に存在するか否かを判定する（ステップＳ７２）。
【０１４４】
一致する住所がないと判定する（ステップＳ７２：Ｎｏ）と、ステップＳ７１で入力された住所に近い領域の住所群を表示し（ステップＳ７３）、さらにその住所群の中から一の住所が選択させるのを待つ（ステップＳ７４）。
【０１４５】
ステップＳ７２で一致する住所があると判定した場合（ステップＳ７２：Ｙｅｓ）、或いはステップＳ７４で一の住所が指定されたと判定した場合（ステップＳ７４：Ｙｅｓ）、図１８に示すように、一致する或いは選択された住所の情報（識別ＩＤとなる計測番号、住所、建物名称、部屋番号、契約者名など）を表示する（ステップＳ７５）。なお、流量メータ３が農地に有るような場合には、図１９に示すような被計測対象画面を表示する。また、図１９に示す被計測画面が表示されている状態において、［追加］ボタンを操作することによって、図２０に示すような作付追加画面が表示され、作付情報（作付内容）を追加することができる。
【０１４６】
その後、制御部２７は、計測結果入力を選択するか否かを判定する（ステップＳ７６）。この計測結果入力の選択は、たとえば、図１９中の［今回計測入力］ボタンをクリックすることによって行われる。
【０１４７】
そして、計測結果入力の選択が行われると（ステップＳ７６：Ｙｅｓ）、ステップＳ６０の処理に移行し、このような選択が行われないと（ステップＳ７６：Ｎｏ）、計測位置検索処理は終了する。
【０１４８】
次に、ステップＳ１１における新規登録処理の具体的動作について、図２９を参照しながら説明する。
【０１４９】
図２９に示すように、新規登録処理が開始されると、制御部２７は、ＩＣタグ４の新規登録用画面を表示し（ステップＳ８０）、被計測対象情報として識別ＩＤ、位置情報、使用者、所有者などの登録情報が入力されるのを待つ（ステップＳ８１）。
【０１５０】
被計測対象情報の入力が完了すると（ステップＳ８１：Ｙｅｓ）、制御部２７は、第１通信部２１を介してステップＳ８１で入力された被計測対象情報をＩＣタグ４への書き込む処理を行う（ステップＳ８２）。
【０１５１】
そして、制御部２７は、ＩＣタグ４と通信できたか否かを判定し（ステップＳ８３）、通信できなかったとき（ステップＳ８３：Ｎｏ）、ＩＣタグ４への登録不可表示を表示部２４へ行う（ステップＳ８４）。
【０１５２】
また、制御部２７は、ＩＣタグ４が通信可能であると判定すると（ステップＳ８５：Ｙｅｓ）、さらにＩＣタグ４にすでに被計測対象情報が登録されているか否かを判定する（ステップＳ８５）。
【０１５３】
そして、ステップＳ８５において、ＩＣタグ４にすでに被計測対象情報が登録されていると判定すると（ステップＳ８５：Ｙｅｓ）、制御部２７はＩＣタグ４への被計測対象情報の上書き操作、すなわち再登録操作が行われたか否か、或いは不登録操作が行われたか否かを判定する（ステップＳ８６）。
【０１５４】
そして、ステップＳ８６にて再登録操作が行われたと判定すると（ステップＳ８６：Ｙｅｓ）、ＩＣタグ４の記憶部４３にステップＳ８１で入力された被計測対象情報を記憶する（ステップＳ８７）。
【０１５５】
このように、携帯端末装置２によりＩＣタグ４に被計測対象情報を記憶することができるため、計測者が容易に被計測対象に対してＩＣタグ４を取り付けることができる。
【０１５６】
また、携帯端末装置２の制御部２７は記憶部２６から被計測対象情報及び過去の計測情報を取り出し、ＩＣタグ４にこれらの情報を書き込むことも可能である。このようにＩＣタグ４に被計測対象情報及び過去の計測情報等を書き込むことができるので、ＩＣタグ４が被計測対象から第三者により取り外されたような場合であっても、その取り外されたＩＣタグ４と同一の情報を記憶したＩＣタグ４を生成し、ＩＣタグ４の再発行を行うことができる。その結果、ホストであるコンピュータ装置１によってＩＣタグ４を再発行することなく、計測現場で容易にＩＣタグ４の再発行ができるため、ＩＣタグ４が取り外されたり、故障したりといった非常時であっても、その対応が容易となる。
【０１５７】
次に、ステップＳ１３におけるデータ送受信処理の具体的動作について、図３０を参照しながら説明する。
【０１５８】
図３０に示すように、データ送受信処理が開始されると、制御部２７はデータ送受信選択画面を表示し（ステップＳ９０）、計測者がデータ送信或いはデータ受信を選択するのを待つ（ステップＳ９１、Ｓ９２）。
【０１５９】
そして、制御部２７は、入力部２３の操作によってデータ受信が選択されたと判定すると（ステップＳ９２：Ｙｅｓ）、ホストであるコンピュータ装置１に対してデータ送信動作を要求し、この要求に対するコンピュータ装置１からの応答を待つ（ステップＳ９３）。
【０１６０】
コンピュータ装置１から受信データ選択画面情報が送信される（ステップＳ９３：Ｙｅｓ）と、制御部２７は、表示部２４にこの受信データ選択画面を表示し（ステップＳ９４）、計測者の入力部２３の操作による受信データの選択を待つ（ステップＳ９５）。
【０１６１】
その後、計測者の入力部２３の操作により、受信データの選択（たとえば、次の日に計測すべき被計測対象情報や計測情報の選択）を行う（ステップＳ９５：Ｙｅｓ）と、選択した受信データを送信するようにコンピュータ装置１へ要求し（ステップＳ９６）、この要求に対してコンピュータ装置１からのデータ受信を待つ（ステップＳ９７）。
【０１６２】
ステップＳ９７において、コンピュータ装置１からデータ受信を行うと、その受信したデータを記憶部２６へ記憶する（ステップＳ９８）。
【０１６３】
また、ステップＳ９１において、制御部２７は、入力部２３の操作によってデータ送信が選択されたと判定すると（ステップＳ９１：Ｙｅｓ）、送信データ選択画面を表示部２４に表示する（ステップＳ９９）。そして、送信データ選択画面において送信するデータが選択されるのを待つ（ステップＳ１００）。そして、送信するデータが選択されると（ステップＳ１００：Ｙｅｓ）と、制御部２７は、ホストであるコンピュータ装置１に対して選択されたデータを送信する（ステップＳ１０１）。
【０１６４】
なお、このデータ送受信処理においては、携帯端末装置２の第２通信部２２とコンピュータ装置１の第２通信部１２とはＵＳＢケーブルなどの有線ケーブルで接続することによって携帯端末装置２とコンピュータ装置１間での通信ができるようにしているが、図３２に示すように、携帯端末装置２の第２通信部２２とコンピュータ装置１の第２通信部１２とをそれぞれ通信網５に接続するようにしてもよい。なお、この通信網は無線通信装置６を有しており、携帯端末装置２はこの無線通信装置６を介してコンピュータ装置１と通信可能である。
【０１６５】
また、ステップＳ１，Ｓ４，Ｓ５，Ｓ２１，Ｓ２２，Ｓ３０〜Ｓ３３，Ｓ３４，Ｓ３５，Ｓ４２，Ｓ４４，Ｓ４６，Ｓ４９，Ｓ５０，Ｓ５２，Ｓ５３，Ｓ５６，Ｓ６０，Ｓ６２，Ｓ７０，Ｓ７３，Ｓ７５，Ｓ８０，Ｓ８４，Ｓ９０，Ｓ９４，Ｓ９９等の制御は、制御部２７の表示制御手段としての制御に、ステップＳ２，Ｓ３は制御部２７の認証手段としての制御に、ステップＳ６，Ｓ８，Ｓ１０，Ｓ１２は制御部２７のメニュー選択検出手段としての制御に、ステップＳ３０は制御部２７の未計測対象判定手段としての制御に、ステップＳ７１，Ｓ７２，Ｓ７４は制御部２７の計測位置検索手段としての制御に、ステップＳ６１は制御部２７の演算手段としての制御に、ステップＳ６２は制御部２７の使用量予測範囲決定手段及び入力ミス判定手段としての制御に、ステップＳ６５、Ｓ６６、Ｓ６７、Ｓ８２は制御部２７のＩＣタグ情報書込手段としての制御に、ステップＳ４８は制御部２７のデータ不一致解消手段としての制御に、ステップＳ４５は制御部２７の重複計測判定手段としての制御に、ステップＳ３４は制御部２７のルート判定手段としての制御に、ステップＳ４０、Ｓ４１、Ｓ４３は制御部２７のＩＣタグ情報読取手段としての制御にそれぞれ対応する。
【０１６６】
ここで、ＩＣタグ４の動作について、更に具体的に図面を参照して説明する。図３１は、ＩＣタグ４の動作フローチャートである。
【０１６７】
図３１に示すように、ＩＣタグ４は、コンピュータ装置１又は携帯端末装置２から所定の周波数の無線信号を受信すると、電源部４２によってアンテナ４０で受信した電波を電気変換してＩＣタグ４の動作電力を生成する。そして、このように生成した動作電力によって通信部４１、記憶部４３、制御部４４が起動する。
【０１６８】
その後、制御部４４は、コンピュータ装置１又は携帯端末装置２から通信部４１を介して情報読取要求、情報書込み要求を受信するのを待つ（ステップS２００、S２０２）。
【０１６９】
制御部４４は、情報読取要求を受信すると、記憶部４３に記憶した被計測対象情報や計測情報のうち、その情報読取要求の内容に応じた情報をこの情報読取要求を送信したコンピュータ装置１又は携帯端末装置２へ送信する（ステップＳ２０１）。
【０１７０】
また、制御部４４は、情報書込み要求を受信すると、この情報書込み要求に含まれる情報を記憶部４３の被計測対象情報領域又は計測情報領域に記憶する（ステップＳ２０３）
【０１７１】
なお、コンピュータ装置１又は携帯端末装置２から所定周波数の無線信号が送信されない場合には、電源部４２で動作電力を生成することができず、電源ＯＦＦの状態となり（ステップＳ２０４：Ｙｅｓ）、通信部４１、記憶部４３、制御部４４等はその動作を停止する。
【０１７２】
ここで、コンピュータ装置１の動作は、上述のようにデータベースの管理や携帯端末装置２とのデータのやり取り等のほか、携帯端末装置２と同様の上述の機能を備えているが、その動作は携帯端末装置２と同様であるため説明を省略する。
【０１７３】
また、図３３に示すように、ＧＰＳからの測位情報を受信可能とした携帯端末装置２´を用いて計測を行なうようにすることもできる。
【０１７４】
すなわち、図３４に示すように、携帯端末装置２´は、ＧＰＳからの測位情報を受信可能なＧＰＳ部２８を設けており、制御部２７´はＧＰＳ部２８から送られる測位情報に基づいて、種々の機能を実行する。なお、携帯端末装置２と同一機能部分には同一の符号を付与し、その説明を省略している。
【０１７５】
たとえば、制御部２７´は、ＧＰＳ部２８から送られる測位情報に基づいて現在位置を特定し、計測領域表示処理（ステップＳ２０）を行なうようにすることができる。より具体的には、測位情報に含まれる地図情報を記憶部２６から取り出して表示部２４に表示すると共に、このように取り出した地図情報の範囲の被計測対象情報や計測情報も記憶部２６から取り出して表示部２４に表示した地図上に被計測対象の位置や計測状況などを表示する。このようにすることにより、計測者による計測位置の把握が容易となり、計測者の負担を軽減することが可能となる。
【０１７６】
また、制御部２７´は、ＩＣタグ４を新規に登録する際に、ＧＰＳからの測位情報を位置情報としてＩＣタグ４へその情報を記憶することができる。このようにすることにより、ＩＣタグ４の位置情報を正しくＩＣタグ４へ書き込むことが可能となる。
【０１７７】
なお、本実施形態においては、契約者（或いは所有者）の情報を地図とは別のウィンドウ（たとえば、図１８）で表示するようにしたが、これに限られるものではなく、地図上に表示するようにしてもよい。
【図面の簡単な説明】
【０１７８】
【図１】本実施形態における計測システムの全体説明図である。
【図２】本実施形態における携帯端末装置の機能構成図である。
【図３】本実施形態におけるコンピュータ装置の機能構成図である。
【図４】本実施形態におけるＩＣタグの機能構成図である。
【図５】携帯端末装置の表示部に表示されたＩＤ・パスワード入力画面である。
【図６】携帯端末装置の表示部に表示されたメニュー選択画面である。
【図７】携帯端末装置の表示部に表示された物件に関する広範囲の地図表示画面である。
【図８】携帯端末装置の表示部に表示された物件に関する中範囲の地図表示画面である。
【図９】携帯端末装置の表示部に表示された物件に関する狭い範囲の地図表示画面である。
【図１０】土地に関する広範囲の地図表示画面の例を示す図である。
【図１１】土地に関する狭い範囲の地図表示画面の例を示す図である。
【図１２】農地に関する広範囲の地図表示画面の例を示す図である。
【図１３】農地に関する狭い範囲の地図表示画面の例を示す図である。
【図１４】ＩＣタグ読取開始選択画面の例を示す図である。
【図１５】被計測対象画面（物件の場合）の例を示す図である。
【図１６】計測値入力画面の例を示す図である。
【図１７】検索用画面の例を示す図である。
【図１８】被計測対象画面（物件の場合）の例を示す図である。
【図１９】被計測対象画面（農地）の例を示す図である。
【図２０】作付追加画面（農地）の例を示す図である。
【図２１】被計測対象画面（土地の場合）の例を示す図である
【図２２】被計測対象画面（物件の場合）の例を示す図である。
【図２３】携帯端末装置におけるメイン動作フローチャートである。
【図２４】携帯端末装置における計測処理動作フローチャートである。
【図２５】携帯端末装置における計測領域表示動作フローチャートである。
【図２６】携帯端末装置におけるＩＣタグ読取処理動作フローチャートである。
【図２７】携帯端末装置における計測結果登録処理動作フローチャートである。
【図２８】携帯端末装置における計測位置検索処理動作フローチャートである。
【図２９】携帯端末装置における新規登録処理動作フローチャートである。
【図３０】携帯端末装置におけるデータ送受信処理動作フローチャートである。
【図３１】ＩＣタグにおける動作フローチャートである。
【図３２】本実施形態における他の計測システムの全体説明図である。
【図３３】本実施形態における別の計測システムの全体説明図である。
【図３４】図３３における携帯端末装置の機能構成図である。
【符号の説明】
【０１７９】
１  コンピュータ装置
２  携帯端末装置
３  流量メータ
４  ＩＣタグ
２１  第１通信部
２２  第２通信部
２３  入力部
２４  表示部
２５  スピーカ
２６  記憶部
２７  制御部
２８  ＧＰＳ部
【図１】
2007071739.tif 000003
【図２】
2007071739.tif 000004
【図３】
2007071739.tif 000005
【図４】
2007071739.tif 000006
【図５】
2007071739.tif 000007
【図６】
2007071739.tif 000008
【図７】
2007071739.tif 000009
【図８】
2007071739.tif 000010
【図９】
2007071739.tif 000011
【図１０】
2007071739.tif 000012
【図１１】
2007071739.tif 000013
【図１２】
2007071739.tif 000014
【図１３】
2007071739.tif 000015
【図１４】
2007071739.tif 000016
【図１５】
2007071739.tif 000017
【図１６】
2007071739.tif 000018
【図１７】
2007071739.tif 000019
【図１８】
2007071739.tif 000020
【図１９】
2007071739.tif 000021
【図２０】
2007071739.tif 000022
【図２１】
2007071739.tif 000023
【図２２】
2007071739.tif 000024
【図２３】
2007071739.tif 000025
【図２４】
2007071739.tif 000026
【図２５】
2007071739.tif 000027
【図２６】
2007071739.tif 000028
【図２７】
2007071739.tif 000029
【図２８】
2007071739.tif 000030
【図２９】
2007071739.tif 000031
【図３０】
2007071739.tif 000032
【図３１】
2007071739.tif 000033
【図３２】
2007071739.tif 000034
【図３３】
2007071739.tif 000035
【図３４】
2007071739.tif 000036